(57)【要約】【課題】機能の設定を容易に行うことができる情報処理装置を提供する。【解決手段】複数の設定項目及び設定値を記憶する設定記憶手段と、所定の入力に従って設定項目を表示部に表示する設定項目表示手段とを備える。また、第一の入力操作に従って、設定項目を表示させたまま前記設定項目の設定値の変更入力を受付ける変更モードに移行する設定値変更モード移行手段と、設定値の変更モードにおいて、所定の入力に従い設定値を変更する設定値変更手段とを備える。【選択図】図６
2007257553.tif 000002
【特許請求の範囲】
【請求項１】
情報を表示する表示部と、
入力操作部と、
機能の実施に必要な複数の設定項目及び設定値を記憶する設定記憶手段と、
前記入力操作部への所定の入力に従って前記機能の実施に必要な複数の設定項目を前記表示部の設定項目表示領域に表示する設定項目表示手段と、
前記入力操作部への第一の入力操作に従って、前記設定項目を前記設定項目表示領域に表示させたまま前記設定項目の設定値の変更入力を受付ける変更モードに移行する設定値変更モード移行手段と、
前記設定値の変更モードにおいて、前記入力操作部への所定の入力に従い前記設定値を変更する設定値変更手段と、
を備えることを特徴とする情報処理装置。
【請求項２】
情報を表示する表示部と、
入力操作部と、
機能の実施に必要な複数の設定項目及び設定値を記憶する設定記憶手段と、
前記入力操作部への所定の入力に従って前記機能の実施に必要な複数の設定項目の設定値を前記表示部の設定値表示領域に表示する設定値表示手段と、
前記入力操作部への第一の入力操作に従って、前記設定項目を前記設定項目表示領域に表示させたまま前記設定項目の設定値の変更入力を受付ける変更モードに移行する設定値変更モード移行手段と、
前記設定値の変更モードにおいて、前記入力操作部への所定の入力に従い前記設定値を変更する設定値変更手段と、
を備えることを特徴とする情報処理装置。
【請求項３】
前記設定値表示手段は、前記入力操作部への所定の入力に従って前記機能の実施に必要な全ての設定項目の設定値を前記表示部の設定値表示領域に表示する請求項２記載の情報処理装置。
【請求項４】
第二の入力操作に従って、前記第一の入力操作がなされた時に前記設定値の変更入力を受付ける対象となる設定項目である設定対象項目を選択する設定対象項目選択手段と、
前記第二の入力操作を条件に、前記設定対象項目の設定値として選択可能な値を前記表示部に表示する設定値表示手段を備える請求項１または２に記載の情報処理装置。
【請求項５】
前記設定値表示手段は、前記第二の入力操作を条件に、前記設定対象項目の設定値として選択可能な値を、恒久的に設定する常時設定メニューとして前記表示部に表示する請求項４記載の情報処理装置。
【請求項６】
前記設定値表示領域を消去することなく、前記設定対象項目の設定値として選択可能な値を前記表示部に表示する請求項４記載の情報処理装置。
【請求項７】
前記設定値の変更モードにおいて、前記第二の入力操作に従い、前記設定値を選択可能な値から選択する請求項４記載の情報処理装置。
【請求項８】
前記第一の入力操作は、前記各設定項目に対応して設けられた入力押圧部への入力操作であり、
前記入力押圧部に対応する設定項目を前記表示部に表示する対応項目表示手段を備える請求項１または２に記載の情報処理装置。
【請求項９】
前記対応項目表示手段により前記表示部に表示される前記設定項目は、該設定項目の前記設定値を一時的に変更するための一時設定メニューとして表示される請求項８記載の情報処理装置。
【請求項１０】
前記設定値の変更モードにおいて、前記第一の入力操作に従い、前記設定値を選択可能な値から選択する請求項８記載の情報処理装置。
【請求項１１】
前記第一の入力操作に従い、前記設定値を切り替え表示する設定値切替手段を備える請求項１０記載の情報処理装置。
【請求項１２】
前記入力押圧部は汎用入力部であって、
第三の入力操作に従って、前記入力押圧部に対応する前記設定項目を切り替える対応項目切替手段を備える請求項８記載の情報処理装置。
【請求項１３】
前記汎用入力部は、それぞれの前記汎用入力部と前記設定項目との対応を表示する表示領域に隣接して設けられている請求項１２記載の情報処理装置。
【請求項１４】
情報を表示する表示部と、
入力操作部と、
機能の実施に必要な複数の設定項目及び設定値を記憶する設定記憶手段と、
前記設定項目の設定値を恒久的に記憶する設定を行うための常時設定メニューを、前記表示部に表示する常時設定メニュー表示手段と、
前記設定項目の設定値を一時的に変更するための一時設定メニューを、前記表示部に表示する一時設定メニュー表示手段と、
前記常時設定メニューと前記一時設定メニューとで表示内容を切り替える表示切替手段と、
前記常時設定メニューと前記一時設定メニューとで、前記設定値の変更モードに移行するための入力操作を切り替える操作切替手段と、
を備えることを特徴とする情報処理装置。
【請求項１５】
前記各設定項目に対応した入力押圧部と、
前記表示部に、前記入力押圧部に対応した設定項目を表示させる対応設定表示手段とを備え、
前記一時設定メニュー表示手段は、前記入力押圧部への押圧操作に従い、前記一時設定メニューを表示する請求項１４記載の情報処理装置。
【請求項１６】
前記常時設定メニューでは、第一の入力操作がなされたときに前記設定値の変更モードに移行し、第二の入力操作に従って、前記第一の入力操作がなされた時に前記設定値の変更対象となる前記設定項目の選択を受け付け、該設定項目が選択される度に、前記設定項目の設定値として選択可能な値が前記表示部に表示され、
前記一時設定メニューでは、汎用入力部が操作されたときに前記設定値の変更モードに移行し、第三の入力操作に従って、前記汎用入力部に対応する前記設定項目を切り替え、前記表示部に、その対応する設定項目を表示させる請求項１５記載の情報処理装置。
【発明の詳細な説明】
【技術分野】
【０００１】
本発明は情報処理装置に関するものである。
【背景技術】
【０００２】
ＦＡＸやコピー機等には操作キーや表示部が設けられている。ユーザは、操作キーを操作することで装置を動作させ、表示部を見てその動作状態を確認する。装置の設定をする際には、設定メニューが表示部に表示され、ユーザはそのメニューを見ながら操作キーを操作して、設定を行う。例えば下記特許文献１には、画面表示を自動的に切り替えることにより、利用者の拡張機能利用時の操作性の向上を図ることができる画像形成装置が開示されている。
【特許文献１】特開２００６−１４０８２号公報
【発明の開示】
【発明が解決しようとする課題】
【０００３】
上記特許文献１では、装置の機能の設定をパネルに表示しているが、現在の設定値や、他の設定について見ることができないため、どの設定項目を設定すればよいか、またはどの設定値にすればよいか直感しにくい問題があった。
【０００４】
本発明は上述のような事情を背景になされたもので、特に、機能の設定を容易に行うことができる情報処理装置を提供することを課題とする。
【課題を解決するための手段および発明の効果】
【０００５】
請求項１記載の発明は、
情報を表示する表示部と、
入力操作部と、
機能の実施に必要な複数の設定項目及び設定値を記憶する設定記憶手段と、
前記入力操作部への所定の入力に従って前記機能の実施に必要な複数の設定項目を前記表示部の設定項目表示領域に表示する設定項目表示手段と、
前記入力操作部への第一の入力操作に従って、前記設定項目を前記設定項目表示領域に表示させたまま前記設定項目の設定値の変更入力を受付ける変更モードに移行する設定値変更モード移行手段と、
前記設定値の変更モードにおいて、前記入力操作部への所定の入力に従い前記設定値を変更する設定値変更手段と、
を備えることを特徴とする情報処理装置である。
【０００６】
上記発明によると、必要な設定項目のいずれを設定しているのか見ながら設定値の変更ができるので、他にも設定が必要な項目があることに気づいたり、現在の設定値に関連する設定値を確認する必要があることに気づける。
【０００７】
請求項２記載の発明は、
情報を表示する表示部と、
入力操作部と、
機能の実施に必要な複数の設定項目及び設定値を記憶する設定記憶手段と、
前記入力操作部への所定の入力に従って前記機能の実施に必要な複数の設定項目の設定値を前記表示部の設定値表示領域に表示する設定値表示手段と、
前記入力操作部への第一の入力操作に従って、前記設定項目を前記設定項目表示領域に表示させたまま前記設定項目の設定値の変更入力を受付ける変更モードに移行する設定値変更モード移行手段と、
前記設定値の変更モードにおいて、前記入力操作部への所定の入力に従い前記設定値を変更する設定値変更手段と、
を備えることを特徴とする情報処理装置である。
【０００８】
上記発明によると、機能の実施に必要な設定項目がどのように設定されているのか見ながら設定値の変更ができるので、現在設定する設定値をどのような値にするか考えやすい。また、他にも必要な設定項目があることに気づいたり、現在の設定項目に関連する設定値を確認する必要があることに気づける。
【０００９】
請求項３記載の発明は、
前記設定値表示手段は、前記入力操作部への所定の入力に従って前記機能の実施に必要な全ての設定項目の設定値を前記表示部の設定値表示領域に表示する情報処理装置である。これにより、全ての設定項目の設定値を表示することとが可能となる。
【００１０】
請求項４記載の発明は、
第二の入力操作に従って、前記第一の入力操作がなされた時に前記設定値の変更入力を受付ける対象となる設定項目である設定対象項目を選択する設定対象項目選択手段と、
前記第二の入力操作を条件に、前記設定対象項目の設定値として選択可能な値を前記表示部に表示する設定値表示手段を備える情報処理装置である。
【００１１】
上記発明によると、設定値を見ながら設定項目の選択ができるので、どの設定項目を設定すべきか考えやすい。
【００１２】
請求項５記載の発明は、
前記設定値表示手段は、前記第二の入力操作を条件に、前記設定対象項目の設定値として選択可能な値を、恒久的に設定する常時設定メニューとして前記表示部に表示する情報処理装置である。
【００１３】
上記発明によると、第二の入力操作により常時設定メニューを表示することができる。
【００１４】
請求項６記載の発明は、
前記設定値表示領域を消去することなく、前記設定対象項目の設定値として選択可能な値を前記表示部に表示する情報処理装置である。
【００１５】
上記発明によると、設定可能な設定値と他の設定項目とを見ながら設定項目の選択ができるので、どの設定項目をどのように設定すべきか考えやすい。
【００１６】
請求項７記載の発明は、
前記設定値の変更モードにおいて、前記第二の入力操作に従い、前記設定値を選択可能な値から選択する情報処理装置である。
【００１７】
上記発明によると、設定項目の選択入力の方法と、設定値の選択入力の方法が同じなので、使用者にとっては入力の方法を切り替える手間や、戸惑いがない。また、余計なキーなどの構成物を少なくできる。
【００１８】
請求項８記載の発明は、
前記第一の入力操作は、前記各設定項目に対応して設けられた入力押圧部への入力操作であり、
前記入力押圧部に対応する設定項目を前記表示部に表示する対応項目表示手段を備える情報処理装置である。
【００１９】
上記発明によると、使用者は、表示部に表示された設定項目を見ながら入力押圧部を押下することにより、設定項目の変更モードに簡単に入ることができる。
【００２０】
請求項９記載の発明は、
前記対応項目表示手段により前記表示部に表示される前記設定項目は、該設定項目の前記設定値を一時的に変更するための一時設定メニューとして表示される情報処理装置である。
【００２１】
上記発明によると、入力押圧部を押圧操作することにより、一時設定メニューを表示させることができる。
【００２２】
請求項１０記載の発明は、
前記設定値の変更モードにおいて、前記第一の入力操作に従い、前記設定値を選択可能な値から選択する情報処理装置である。
【００２３】
上記発明によると、設定値の変更モードに入る方法と、設定値の選択入力の方法が同じなので、使用者にとっては入力の方法を切り替える手間や、戸惑いがない。また、余計なキー等の構成物を少なくできる。
【００２４】
請求項１１記載の発明は、
前記第一の入力操作に従い、前記設定値を切り替え表示する設定値切替手段を備える情報処理装置である。
【００２５】
上記発明によると、設定値が切り替え表示されるため、現在、どの設定値を設定しているのか分かりやすい。
【００２６】
請求項１２記載の発明は、
前記入力押圧部は汎用入力部であって、
第三の入力操作に従って、前記入力押圧部に対応する前記設定項目を切り替える対応項目切替手段を備える情報処理装置である。
【００２７】
上記発明によると、入力押圧部は汎用入力部とされているため、設定項目の数だけ入力押圧部を用意する必要がなくなる。また、使用者は限られた入力押圧部の中から設定したい設定項目に対応する入力押圧部だけ探せばよいので、操作が楽である。
【００２８】
請求項１３記載の発明は、
前記汎用入力部は、それぞれの前記汎用入力部と前記設定項目との対応を表示する表示領域に隣接して設けられている情報処理装置である。
【００２９】
上記発明によると、使用者は、機能の設定に必要な設定項目やその設定値を見ながら、どの汎用入力部を操作すればよいのか見て分かるため、操作を間違えにくい。
【００３０】
請求項１４記載の発明は、
情報を表示する表示部と、
入力操作部と、
機能の実施に必要な複数の設定項目及び設定値を記憶する設定記憶手段と、
前記設定項目の設定値を恒久的に記憶する設定を行うための常時設定メニューを、前記表示部に表示する常時設定メニュー表示手段と、
前記設定項目の設定値を一時的に変更するための一時設定メニューを、前記表示部に表示する一時設定メニュー表示手段と、
前記常時設定メニューと前記一時設定メニューとで表示内容を切り替える表示切替手段と、
前記常時設定メニューと前記一時設定メニューとで、前記設定値の変更モードに移行するための入力操作を切り替える操作切替手段と、
を備えることを特徴とする情報処理装置である。
【００３１】
上記発明によると、使用者は、現在設定している設定値が一時的に使われるだけか否かを直感的に知ることができる。
【００３２】
請求項１５記載の発明は、
前記各設定項目に対応した入力押圧部と、
前記表示部に、前記入力押圧部に対応した設定項目を表示させる対応設定表示手段とを備え、
前記一時設定メニュー表示手段は、前記入力押圧部への押圧操作に従い、前記一時設定メニューを表示する情報処理装置である。
【００３３】
上記発明によると、一時設定のときは、簡単な入力で設定することが可能でなる。
【００３４】
請求項１６記載の発明は、
前記常時設定メニューでは、第一の入力操作がなされたときに前記設定値の変更モードに移行し、第二の入力操作に従って、前記第一の入力操作がなされた時に前記設定値の変更対象となる前記設定項目の選択を受け付け、該設定項目が選択される度に、前記設定項目の設定値として選択可能な値が前記表示部に表示され、
前記一時設定メニューでは、汎用入力部が操作されたときに前記設定値の変更モードに移行し、第三の入力操作に従って、前記汎用入力部に対応する前記設定項目を切り替え、前記表示部に、その対応する設定項目を表示させる情報処理装置である。
【００３５】
上記発明によると、一時設定のときは少ないキーで簡単な入力で設定することができる。また、常時設定の時は、他の設定項目も見ながら設定することができるし、汎用入力部についての表示が原因で、表示部に設定項目を表示できる領域を狭めることもない。
【発明を実施するための最良の形態】
【００３６】
以下、適宜図面を参照して本発明の実施形態について説明する。なお、以下の実施形態は本発明を具体化した一例にすぎず、本発明の要旨を変更しない範囲で、実施形態を適宜変更できることは言うまでもない。
【００３７】
図１は本発明の実施形態に係る多機能装置の一例である複合機１の外観構成を示す斜視図であり、図２は原稿カバー８が開けられた状態の複合機１の外観構成を示す斜視図である。図示するように、本複合機１は、下部に設けられたプリンタ部２と、上部に設けられたスキャナ部３(画像読取部に相当)と、スキャナ部３の正面側に設けられた操作パネル４とを一体的に備えたＭＦＤ（Multi Function Device）であり、プリンタ機能、スキャナ機能、コピー機能及びファクシミリ機能を有する。なお、本発明を実現するうえで、上記した全ての機能が複合機１に備えられている必要はなく、少なくとも２以上の機能が備えられていれば足りる。
【００３８】
スキャナ部３は、ＦＢＳ（Flatbed Scanner）として機能する原稿読取台６に対して、自動原稿搬送機構（ＡＤＦ：Auto Document Feeder、以下「ＡＤＦ」という。）７を備えた原稿カバー８が、背面側の蝶番１１(図２参照)を介して開閉自在に取り付けられてなる。図２に示すように、原稿読取台６の上面にはプラテンガラス１２が配設されており、原稿読取台６の内部には、図示しない画像読取ユニットが内蔵されている。
【００３９】
プラテンガラス１２は、縦幅より横幅が長い平面視で横長の長方形に形成されている。プラテンガラス１２は、平面視で縦幅はレターサイズ用紙の短辺に合う長さにされ、横幅はＡ４サイズ用紙の長辺に合う長さにされている。そのため、レターサイズ用紙もＡ４サイズ用紙も、両方とも画像読取ができるようになっている。
【００４０】
原稿読取台６の上面は大きく開口されており、その開口部にプラテンガラス１２が嵌め込まれている。原稿読取台６の内部には、上記画像読取ユニットの移動スペースや、画像読取ユニット或いはそれを支持する部材および駆動させる機構などを配設するスペースが確保されているため、原稿読取台６の上面はプラテンガラス１２よりも大きく形成されているが、原稿読取台６は、プラテンガラス１２と平面視で概ね相似形に形成されている。即ち、原稿読取台６は、プラテンガラス１２と同様に、平面視で横方向に長く且つ所定高さの直方体に形成されている。
【００４１】
このように構成されたスキャナ部３をＦＢＳとして使用する場合は、原稿カバー８を開いてプラテンガラス１２上に原稿を載置し、その後、原稿カバー８を閉じて当該原稿を固定する。そして、読取開始指令が入力されると、上記画像読取ユニットがプラテンガラス１２の裏面に沿って走査される。これにより、ＦＢＳによる原稿の画像読取りが行われる。
【００４２】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Contact Image Sensor）、或いは、縮小光学系のＣＣＤ（Charge Coupled Device）や、ＣＭＯＳ（Complementary Metal-Oxide Semiconductor：相補型金属酸化膜半導体）などを適用することができる。なお、画像読取ユニットやスキャナ部３の内部構成の構成は本発明に直接関係がないので、ここでは詳細な説明は省略する。
【００４３】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上の読取面１３を通過され、該読取面１３の下方に待機する上記画像読取ユニットによって該原稿の画像が読み取られる。このようなＡＤＦ７による画像読取りは、原稿カバー８が原稿読取台６に対して閉じられた状態で行われる。なお、本発明においてＡＤＦ７は任意の構成であり、スキャナ部３がＡＤＦ７を具備せず、ＦＢＳとしてのみ画像読取を行うものであってもよい。したがって、ＡＤＦ７の詳細な説明については省略する。
【００４４】
プリンタ部２は、スキャナ部３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ部２は、上述したように、スキャナ部３の下方に配設されている。スキャナ部３とプリンタ部２は、それらの背面が同一面となるように位置決めされているため、複合機１の背面は凸凹のない平坦形状となっている。なお、言うまでもないが、上記インクジェット方式はプリンタ部２による画像記録方式の単なる一例であり、電子写真方式や熱転写方式などの種々の画像記録方式を採用することができるのはもちろんである。
【００４５】
複合機１の正面側、換言すれば、プリンタ部２の正面側には開口５が形成されている。この開口５内に給紙トレイ１４(被記録媒体収容部に相当)及び排紙トレイ１５が設けられている。給紙トレイ１４と排紙トレイ１５は上下二段となるように配設されており、上段に排紙トレイ１５が設けられ、その下方に給紙トレイ１４が設けられている。給紙トレイ１４は、長方形の記録用紙を平面視で縦向きに収容するものである。給紙トレイ１４は、レターサイズ用紙とＡ４サイズ用紙の両方が使用できるように、横幅はレターサイズ用紙の短辺に合わせてあり、縦幅はＡ４サイズ用紙の長辺に合わせてある。
【００４６】
プリンタ部２の正面側の端面１７は、上述したように原稿読取台６が横長の直方体に形成されているため、スキャナ部３の正面側の端面１８から所定幅だけ正面側に突出している。以下、このように正面側に突出したプリンタ部２の正面側の端部を突出部１６と称する。なお、プリンタ部２の横幅はスキャナ部３の横幅に合わせて形成されている。従って、複合機１は平面視で略正方形をなしている。
【００４７】
上述したように、原稿読取台６はレターサイズの原稿を横向きに載置可能なサイズに形成され、給紙トレイ１４は記録用紙を縦向きに載置可能なサイズに形成されているため、上記突出部１６の突出幅は、Ａ４サイズの長辺からレターサイズの短辺を差し引いた幅に概ね設定される。従って、突出部１６の上方には、プリンタ部２の横幅がスキャナ部３の横幅に合わせて形成されていることもあって、横長の直方体の空きスペースが生まれる。なお、後段で詳述するが、本複合機１の操作パネル４は当該空きスペースに配設される。
【００４８】
プリンタ部２には、給紙トレイ１４の奥側から上方へ延びた後に正面側へＵ字状に湾曲して排紙トレイ１５に連結される用紙搬送路が設けられている。給紙トレイ１４に収容された記録紙は、その短辺を先頭にして用紙搬送路に送り出され、Ｕターン搬送されることによって用紙搬送路中に設けられた画像記録位置に案内される。そして、該画像記録位置で、上記インクジェット記録装置によって画像が記録用紙に記録される。画像記録後の記録用紙は排紙トレイ１５に排出される。
【００４９】
複合機１の正面側には、操作パネル４が設けられている。操作パネル４は、突出部１６の上方の空きスペースに適合するよう、図１および図２に示す如く横長形状に形成されている。換言すれば、操作パネル４は、その縦幅が、スキャナ部３の縦幅からプリンタ部２の縦幅を減じた長さ(空きスペースの縦幅)に収まる寸法に形成されている。操作パネル４は、プリンタ部２やスキャナ部３を操作するためのものであり、各種操作キー８０と液晶表示部（ＬＣＤ：Liquid Crystal Display）２４(表示部に相当)とを具備する。使用者は、操作パネル４を用いて、所望の指令を入力することができる。複合機１に所定の指令が入力されると、その入力された情報に基づいて該複合機１の動作が制御部２０によって制御される。操作パネル４の具体的な構成については後段で詳述する。なお、複合機１は、操作パネル４から入力された指令のほか、コンピュータに接続されて該コンピュータからプリンタドライバやスキャナドライバ等を介して送信される指令に基づいて動作するようにシステム構成されている。
【００５０】
プリンタ部２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によって液晶表示部２４に表示される。或いは、選択された任意の画像がプリンタ部２において記録用紙に記録される。
【００５１】
以下、図３のブロック図を参照しながら、上記複合機１の動作を制御する制御部２０の概略構成について説明する。ここに、図３は、複合機１の制御部２０の概略構成を示すブロック図である。制御部２０は、プリンタ部２、スキャナ部３及び操作パネル４を含む複合機１の動作を統括的に制御するものである。制御部２０は、図に示すように、ＣＰＵ（Central Processing Unit）２１、ＲＯＭ（Read Only Memory）２２、ＲＡＭ（Random Access Memory）２３、ＥＥＰＲＯＭ（Electrically Erasable and Programmable ROM）６０を主とするマイクロコンピュータとして構成されており、バス２５を介してＡＳＩＣ（Application Specific Integrated Circuit）２６に接続されている。
【００５２】
図４に示すように、ＲＯＭ２２には設定項目表示プログラム２２ａ、設定値変更モード移行プログラム２２ｂ、設定値変更プログラム２２ｃ、設定値表示プログラム２２ｄ、設定対象項目選択プログラム２２ｅ、対応項目表示プログラム２２ｆ、設定値切替プログラム２２ｇ、対応項目切替プログラム２２ｈ、常時設定メニュー表示プログラム２２ｉ、一時設定メニュー表示プログラム２２ｊ、表示切替プログラム２２ｋ、操作切替プログラム２２ｌ等の各種プログラムが記憶されている。
【００５３】
設定項目表示プログラム２２ａは、入力操作部２３への所定の入力に従って、複数の設定項目を表示部２４の設定項目表示領域に表示するプログラムである。設定値変更モード移行プログラム２２ｂは、入力操作部２３への第一の入力操作に従って、設定項目を設定項目表示領域に表示させたまま、設定値の変更入力を受け付ける変更モードに移行するプログラムである。設定値変更プログラム２２ｃは、設定値の変更モードにおいて、入力操作部２３への所定の入力に従い設定値を変更するプログラムである。設定値表示プログラム２２ｄは、入力操作部２３への所定の入力に従って複数の設定項目の設定値を表示部２４の設定値表示領域に表示するプログラムである。設定対象項目選択プログラム２２ｅは、第二の入力操作に従って、第一の入力操作がなされた時に設定値の変更入力を受け付ける対象となる設定項目である設定対象項目を選択するプログラムである。対応項目表示プログラム２２ｆは、入力押圧部に対応する設定項目を表示部２４に表示するプログラムである。設定値切替プログラム２２ｇは、第一の入力操作に従い、設定値を切替表示するプログラムである。対応項目切替プログラム２２ｈは、第三の入力操作に従って、入力押圧部に対応する設定項目を切り替えるプログラムである。常時設定メニュー表示プログラム２２ｉは、設定値を恒久的に記憶する設定を行うための常時設定メニューを表示部２４に表示するプログラムである。一時設定メニュー表示プログラム２２ｊは、設定値を一時的に変更するための一時設定メニューを、表示部２４に表示するプログラムである。表示切替プログラム２２ｋは、常時設定メニューと一時設定メニューとで表示内容を切り替えるプログラムである。操作切替プログラム２２ｌは、常時設定メニューと一時設定メニューとで、設定値の変更モードに移行するための入力操作を切り替えるプログラムである。
【００５４】
これら設定項目表示プログラム２２ａ、設定値変更モード移行プログラム２２ｂ、設定値変更プログラム２２ｃ、設定値表示プログラム２２ｄ、設定対象項目選択プログラム２２ｅ、対応項目表示プログラム２２ｆ、設定値切替プログラム２２ｇ、対応項目切替プログラム２２ｈ、常時設定メニュー表示プログラム２２ｉ、一時設定メニュー表示プログラム２２ｊ、表示切替プログラム２２ｋ、操作切替プログラム２２ｌをＣＰＵ２１がＲＡＭ２３にロードして実行することにより、本発明の設定項目表示手段、設定値変更モード移行手段、設定値変更手段、設定値表示手段、設定対象項目選択手段、対応項目表示手段、設定値切替手段、対応項目切替手段、常時設定メニュー表示手段、一時設定メニュー表示手段、表示切替手段、操作切替手段がそれぞれ実現される。
【００５５】
図３に戻る。ＡＳＩＣ２６は、ＣＰＵ２１からの指令に従い、プリンタ部２、スキャナ部３、操作パネル４、及びスロット部７２の動作制御を行う。プリンタ部２、スキャナ部３及びスロット部７２は、詳細な説明は省略するが、制御部２０により、プリンタ部２を駆動するモータやインクジェット記録ヘッド、スキャナ部３のＡＤＦ７を駆動するモータや画像読取ユニット等の動作が制御される。
【００５６】
ＡＳＩＣ２６には、複合機１に所望の指令を入力する操作キー８０を制御するパネルゲートアレイ２７が接続されている。パネルゲートアレイ２７は、操作キー８０の押下を検出して、所定のコード信号を出力する。このキーコードは、複数の操作キー８０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【００５７】
ＡＳＩＣ２６には、液晶表示部２４の画面表示を制御するＬＣＤコントローラ２８が接続されている。ＬＣＤコントローラ２８は、ＣＰＵ２１の指令に基づいて、液晶表示部２４にプリンタ部２又はスキャナ部３の動作に関する情報や、読取画像或いは入力画像を画面に表示させる。
【００５８】
また、ＡＳＩＣ２６には、コンピュータとパラレルケーブル又はＵＳＢケーブルを介してデータの送受信を行うためのパラレルインタフェース２９及びＵＳＢ端子７１が接続されている。さらに、ＡＳＩＣ２６には、ファクシミリ機能を実現するためのＮＣＵ（Network Control Unit）３１やモデム３２が接続されている。
【００５９】
以下、複合機１の操作パネル４について詳細に説明する。図１に示すように、操作パネル４は、プリンタ部２の突出部１６の上方であって、スキャナ部３の正面側に設けられている。この操作パネル４は、各種操作キー８０と液晶表示部２４とを具備する。
【００６０】
図５は、表示部２４およびその周辺の構成例である。複合機１は待機状態になっており、表示部２４には日時情報が表示されている。表示部２４の右側には複数個のメニュー選択ボタン４０ａ〜４０ｄが配置されており、左側には入力押圧部４１ａ〜４１ｄが配置されている。
【００６１】
図５の待機状態でメニュー選択ボタン４０ａ〜４０ｄのいずれかを押圧した後、メニューキー４２（図１参照）を押圧することにより、図６（Ａ）の常時設定メニューが表示される。常時設定メニューは、設定値４８を恒久的に記憶する設定を行うためのメニューである。例えばコピー用のメニュー選択ボタン４０ａを押圧し、メニューキー４２を押圧すると、コピー機能の常時設定メニュー（図６（Ａ））が表示される。
【００６２】
常時設定メニューでは、表示部２４の画面は、操作中の内容を表示する第一表示領域２４ａと、既に設定されている情報を表示する第二表示領域２４ｂの、２つの表示領域に分けられる。各表示領域２４ａ，２４ｂの左側には設定項目４７が表示され（設定項目表示領域４９，５１）、右側には設定値４８が表示される（設定値表示領域５０，５２）。例えば、設定項目表示領域４９にQuality、Enlarge/Reduce、Page Layout、Paper Type等の設定項目４７が表示され、設定値表示領域５０に、Qualityの設定値４８であるFast、Normal、Bestが表示される。
【００６３】
図６（Ａ）の状態で右矢印キー４６を押下（常時設定メニューにおける第一の入力操作）すると、設定値４８の変更モード（図６（Ｄ））に移る。変更モードでは、上矢印キー４３または下矢印キー４４を押下（本発明の第二の入力操作）することにより、設定値４８が選択される。例えば図６（Ｄ）では、Qualityの設定値４８のうちNormalが太字で表示されており、これが選択中であることを表している。この状態で上矢印キー４３を押下すると図６（Ｃ）に移り、Fastが選択され、これが太字で表示される。図６（Ｄ）から下矢印キーを押下すると図７（Ｃ）に移り、Bestが選択され、これが太字で表示される。また、このように設定値４８を変更すると、第二表示領域２４ｂに表示されている設定値４８も替わる。なお、選択中の表示は文字の色を替えたり、大きさを変えたりしても良いことは言うまでもない。
【００６４】
変更モードでは、設定項目表示領域４９，５１に設定項目４７を表示したまま設定値４８の変更がされる。このようにすると、設定項目４７を見ながら設定できるので、他にも必要な設定項目４７があることに気づくことができる。また、現在設定中の設定項目４７に関連する設定値４８を確認する必要があることに気づける。
【００６５】
さらに、変更モードでは、設定値表示領域５０，５２に設定値４８を表示したまま設定値４８の変更がされる。このようにすると、設定値４８を見ながら設定できるので、現在設定中の設定値４８をどのような値にするか考えやすい。また、他にも必要な設定項目４７の設定をすることに気づいたり、現在の設定項目４７に関連する設定値４８を確認する必要があることに気づける。
【００６６】
一方、図６（Ａ）の状態で下矢印キー４４（図１参照）を押下することにより、図６（Ｂ）の表示に移る。ここでは、設定項目４７としてEnlarge/Reduceが選択され、その設定値４８が表示される。さらに下矢印キー４４を押下すると、設定項目４７としてPage Layoutが選択され、その設定値４８が表示される（図７（Ａ））。さらに下矢印キー４４を押下すると設定項目４７としてPaper Typeが選択され、その設定値４８が表示される（図７（Ｂ））。上矢印キー４３を押下すると、元の設定項目４７が選択されるに戻る。このように、上矢印キー４３，下矢印キー４４を押下する（第二の入力操作）ことにより、右矢印キー４６を押下（第一の入力操作）した時に設定値４８の変更対象となる設定項目４７が選択される。これにより、設定値４８を見ながら設定項目４７の選択ができるので、どの設定項目４７を設定すべきか考えやすくなる。
【００６７】
また、上記実施例では、設定値４８の変更モードに移行した時に、第二表示領域２４ｂの設定値表示領域５２に表示されている設定値４８を消すことなく、第一表示領域２４ａの設定値表示領域５０に、選択可能な設定値４８を表示している。これにより、他の設定項目４７の設定値４８を見ながら設定項目４７の選択ができるようになり、どの設定項目４７をどのように設定すべきか考えやすくなる。
【００６８】
なお、上述したように、設定値４８の変更モードに移行したとき、上矢印キー４３，下矢印キー４４を押下する（第二の入力操作）ことにより、設定値４８を選択可能な値から選択している。これにより、設定項目４７の選択入力の方法（図６（Ａ），図６（Ｂ），図７（Ａ），図７（Ｂ））と、設定値４８の選択入力の方法（図６（Ｃ），図６（Ｄ），図７（Ｃ））が同じなので、使用者にとっては入力の方法を切り替える手間や、戸惑いがなくなる。また、余計なキーなどの構成物を少なくできる。
【００６９】
次に、一時設定メニューの説明をする。図５の待機状態からメニュー選択ボタン４０ａ〜４０ｄを押下すると、それぞれの機能に対応した一時設定メニューが表示される。例えばコピー機能用のメニュー選択ボタン４０ａを押下すると、図８（Ａ）のように、コピー用の一時設定メニューが表示される。
【００７０】
常時設定メニューと同様に一時設定メニューでも、表示部２４は第一表示領域２４ａと第二表示領域２４ｂとに分けられている。第一表示領域２４ａには、入力押圧部４１ａ〜４１ｄに対応する位置に設定項目４７が表示されている。例えば入力押圧部４１ａを押圧する（一時設定メニューにおける第一の入力操作）と、Qualityの設定値４８の変更モード（図８（Ｃ））に移行する。また、同様にして入力押圧部４１ｂを押圧すると、Enlarge/Reduceの変更モードに移行し、入力押圧部４１ｃを押圧すると、Page Layoutの変更モードに移行する。このような構成にすると、使用者は、第二表示領域２４ｂを見て変更したいと考えた設定項目２４の変更モードに簡単に入ることができる。
【００７１】
一時設定メニューの変更モードでは、第一表示領域２４ａにPrevious set value(前の設定値)、set value(現在の設定値)、Next set value(次の設定値)が表示され、それぞれの右側に設定値４８としてFast, Normal, Bestが表示される。図８（Ｃ）ではNormalが設定されているため、これが太字で表示されている。図８（Ｃ）の状態で入力押圧部４１ａ（Quality）を押圧する（一時設定メニューにおける第一の入力操作）と図８（Ｄ）に移行し、設定値４８としてBestが選択される。さらに入力押圧部４１ａ（Quality）を押圧すると図９（Ｃ）に移行し、設定値４８としてFastが選択される。また、Ｂａｃｋキー５３を押下すると、一つ前の設定項目４８が選択される。一方、第二表示領域２４ｂには他の設定項目４７と、現在の設定値４８が表示されている。
【００７２】
このような構成にすると、設定値４８の変更モードに入る方法（図８（Ａ）から図８（Ｃ））と、設定値４８の選択入力の方法（図８（Ｃ）から図８（Ｄ））が同じなので、使用者にとっては入力の方法を切り替える手間や、戸惑いがない。また、余計なキーなどの構成物を少なくできる。
【００７３】
一方、図８（Ａ）の状態で入力押圧部４１ｄ（Next）を押圧する（本発明の第三の入力操作）と、図８（Ｂ）に移り、設定項目４７が切り替わる。すなわち、入力押圧部４１ａ〜４１ｃに対応する設定項目４７として、Paper Type, Paper Size, Stack/Sort が表示される。さらに入力押圧部４１ｄ（Next）を押圧すると、図９（Ａ）に移り、入力押圧部４１ａ〜４１ｃに対応する設定項目４７として、Brightness, Contrast, Color Adjust Red が表示される。続けて入力押圧部４１ｄ（Next）を押圧すると図９（Ｂ）に移り、入力押圧部４１ａ,４１ｂに対応する設定項目４７として、Color Adjust Green, Color Adjust Blue が表示される。そして入力押圧部４１ｄに対応する位置にはTop の表示が出る。この入力押圧部４１ｄ（Top）を押圧すると、図８（Ａ）に戻る。
【００７４】
このように、入力押圧部４１ａ〜４１ｄは汎用入力部となっている。そして入力押圧部４１ｄ（Next）が押圧される（第三の入力操作）と、入力押圧部４１ａ〜４１ｄに対応する設定項目４８が切り替わる。このようにすると、使用者は限られた入力押圧部４１ａ〜４１ｃの中から設定したい設定項目に対応する入力押圧部だけを探せばよいので、操作が楽である。
【００７５】
また、入力押圧部４１ａ〜４１ｃは、第一表示領域２４ａに隣接して設けられている。このようにすると、使用者はどの入力押圧部４１ａ〜４１ｃを操作すれば設定モードに移行するのか見て理解できるため、操作を間違えにくい。
【００７６】
一方、本発明では、常時設定メニューの表示（図６，図７）と一時設定メニューの表示（図８，図９）とで、表示内容が切り替わっている。さらに、常時設定メニューにおいて設定値４８の変更モードに移行するための入力操作（右矢印キー４６を押下）と、一時設定メニューにおいて設定値４８の変更モードに移行するための入力操作（入力押圧部４１ａ〜４１ｃを押下）とで、入力操作が切り替わっている。このようにすると使用者は、常時設定メニューと一時設定メニューのいずれが表示されているのか、直感的に知ることができる。
【００７７】
また、上述したように一時設定メニューでは、入力押圧部４１ａ〜４１ｃを押圧することで、設定値４８の変更モードに移行する。このようにすると、一時設定の時は、簡易な入力で設定できる。
【００７８】
一方、常時設定メニュー（図６，図７）では、上下矢印キー４３，４４押下（第二の入力操作）に従って、第一の入力操作がされたときに設定値４８の変更対象となる設定項目４７の選択がなされ、設定項目４７が選択される度に、選択可能な設定値４８が表示される。そして一時設定メニュー（図８，図９）では、入力押圧部４１ａ〜４１ｃ（汎用入力部）が操作された時に設定値４８の変更モードに移行し、入力押圧部４１ｄの押下（第三の入力操作）に従って、入力押圧部４１ａ〜４１ｃに対応する設定項目を切り替えて表示している。このようにすると、一時設定メニューの時は簡単なキー操作で設定値４８を設定できる。また、常時設定メニューのときは、他の設定項目４７も見ながら設定することができるし、入力押圧部４１ａ〜４１ｃについての表示が原因で、表示部２４に設定項目４７を表示できる領域を狭めることもない。
【図面の簡単な説明】
【００７９】
【図１】情報処理装置の一例である複合機の斜視図。
【図２】複合機を開いた状態の斜視図。
【図３】複合機のブロック図。
【図４】ＲＯＭに記憶されているプログラムの一例。
【図５】表示部およびその周辺の構成例。
【図６】常時設定メニューの表示例。
【図７】図６に続く図。
【図８】一時設定メニューの表示例。
【図９】図８に続く図。
【符号の説明】
【００８０】
１  複合機
２４  表示部
２４ａ  第一表示領域
２４ｂ  第二表示領域
４０ａ〜４０ｄ  メニュー選択ボタン
４１ａ〜４１ｄ  入力押圧部
４３  上矢印キー
４４  下矢印キー
４５  左矢印キー
４６  右矢印キー
４７  設定項目
４８  設定値
４９，５１  設定項目表示領域
５０，５２  設定値表示領域
【図１】
2007257553.tif 000003
【図２】
2007257553.tif 000004
【図３】
2007257553.tif 000005
【図４】
2007257553.tif 000006
【図５】
2007257553.tif 000007
【図６】
2007257553.tif 000008
【図７】
2007257553.tif 000009
【図８】
2007257553.tif 000010
【図９】
2007257553.tif 000011